(57)【特許請求の範囲】
【請求項１】
互いに絡み合った多数の樹脂製ループ状線状材を互いの接触箇所において固着して成る立体網状構造のクッション材を、その表裏両広幅面のうち一方の広幅面が広く、他方の広幅面が狭くなるように側断面略台形状に切断し、
前記面積の広い側の広幅面に接着剤によって接着された表皮材の縁部をクッション材からはみ出させる一方、
前記面積の狭い側の広幅面を板状支持体の広幅表面に当接もしくは接着し、
前記クッション材の周囲切断面を前記面積の広い側の広幅面の周縁部で覆って前記板状支持体の周囲縁部に接近させるように変形させ、且つ前記表皮材の縁部を板状支持体の裏面側に固定することを特徴とする椅子用座体等の身体支持体の製造方法。
【請求項２】
互いに絡み合った多数の樹脂製ループ状線状材を互いの接触箇所において固着して成る立体網状構造のクッション材の片方の広幅面に、表皮材を接着剤によって接着させ、
該表皮材の縁部をクッション材からはみ出させ、
該クッション材の他方の広幅面を板状支持体の広幅表面に接着し、
前記クッション材の周囲切断面を前記表皮材が接着された側の広幅面の周縁部で覆って前記板状支持体の周囲縁部に接近させるように変形させながら前記表皮材の縁部を板状支持体の裏面側に巻き込み固定することを特徴とする椅子用座体等の身体支持体の製造方法。
【請求項３】
前記クッション材は、ポリエステル繊維からなる樹脂製ループ状線状材を互いの接触箇所において固着して成る立体網状構造体であることを特徴とする請求項１または請求項２に記載の製造方法により製造された椅子用座体等の身体支持体。
【発明の詳細な説明】
【０００１】
【発明の属する技術分野】
本発明は、椅子やベッド等の身体支持装置を構成する身体支持体の製造方法及び身体支持体に関するものである。
【０００２】
【従来の技術】
身体支持装置の一例としての椅子の座体と背もたれ体は、板状のインナーシェルにクッション材を張った構造になっている。この椅子における座体や背もたれ体に使用するクッション材としては、従来、例えば、実公昭４６−２５１３５号公報に開示されているように、硬質の芯板の表面側に連続気孔性の軟質スポンジ体や発泡ウレタンのような発泡材を配置し、このクッション材の前面側及び全周縁にわたって熱可塑性軟質合成樹脂の表面シートを被せ、該表面シートの周縁を前記芯板の裏面側に位置させ、その周縁を別の熱可塑性軟質合成樹脂の裏面シートの周縁に熱溶着させたものが知られている。しかし、このような発泡材は通気性に劣るため蒸れやすいという欠点があった。
【０００３】
そこで、特開平８−６１４１４号公報には、熱可塑性樹脂によりランダムなループ状に曲がりくねった線状材を形成し、この多数の線状材を綿のように絡み合わせて、線状材同士を接触箇所において融着することにより、立体的な網状構造（綿状構造）のクッション材と成し、更に、クッション材を、密着・離反自在な一対の型によって所望の形状に成形するのと同時に、織物等の表皮材をクッション材に接着することが記載されている。
【０００４】
このクッション材は前述のように、立体的な網状構造であるため、通気性が高く蒸れ難いという利点がある。
【０００５】
【発明が解決しようとする課題】
しかしながら、前記クッション材は、例えば幅寸法１ｍ、長さ２ｍ、厚さ略３cm〜７cm程度の平面視矩形状の定型のボード状で提供されるため、座体や背もたれ部の形状に合うような面積形状に切断すると、その切断面であるクッション材の厚さ方向には、素材とのしての多数の線状材の切断端部分が針状に突出する。このため、このクッション材の広幅面及び四周縁を表皮材で覆うと、クッション材の厚さ部分では、表皮材の内面に前記線状材の切断端が突き当たり、手触りや身体との接触感覚がごわごわするという問題があり、ひどい場合には、前記前記線状材の切断端にて表皮材を突き破り外に突出するという問題があった。
【０００６】
また、最近では、環境問題から合成樹脂材を焼却したときに、窒素酸化物やダイオキシン等の有害物質を発生させず、排煙、塵埃に混じることも肝要である。
【０００７】
本発明は、これらの問題を解消することを目的とするものである。
【０００８】
【課題を解決するための手段】
前記目的を達成するため、請求項１に記載の発明の椅子用座体のような身体支持部材の製造方法は、互いに絡み合った多数の樹脂製ループ状線状材を互いの接触箇所において固着して成る立体網状構造のクッション材を、その表裏両広幅面のうち一方の広幅面が広く、他方の広幅面が狭くなるように側断面略台形状に切断し、前記面積の広い側の広幅面に接着剤によって接着された表皮材の縁部をクッション材からはみ出させる一方、前記面積の狭い側の広幅面を板状支持体の広幅表面に当接もしくは接着し、前記クッション材の周囲切断面を前記面積の広い側の広幅面の周縁部で覆って前記板状支持体の周囲縁部に接近させるように変形させ、且つ前記表皮材の縁部を板状支持体の裏面側に固定することを特徴とするものである。
【０００９】
他方、請求項２に記載の発明の椅子用座体のような身体支持部材の製造方法は、互いに絡み合った多数の樹脂製ループ状線状材を互いの接触箇所において固着して成る立体網状構造のクッション材の片方の広幅面に、表皮材を接着剤によって接着させ、該表皮材の縁部をクッション材からはみ出させ、該クッション材の他方の広幅面を板状支持体の広幅表面に接着し、クッション材の周囲切断面を前記表皮材が接着された側の広幅面の周縁部で覆って前記板状支持体の周囲縁部に接近させるように変形させながら前記表皮材の縁部を板状支持体の裏面側に巻き込み固定することを特徴とするものである。
【００１０】
そして、請求項３に記載の発明の椅子用座体のような身体支持部材は、請求項１または請求項２により製造された身体支持部材であって、前記クッション材は、ポリエステル繊維からなる樹脂製ループ状線状材を互いの接触箇所において固着して成る立体網状構造体としたものである。
【００１１】
【発明の実施形態】
次に、本願発明の実施形態を図面に基づいて説明する。図１（ａ）〜図１（ｄ）は、本発明の製造工程を示す概略図、図２は椅子用座体のインナーシェルの平面図、図３はインナーシェルの底面図、椅子における座部の正断面面である。
【００１２】
図１（ｄ）は本発明の製造方法により製造された座体１の概略正断面面であって、座体１は、例えば、図３に示すような板状支持体の一例としてのインナーシェル２と、インナーシェル２の上面に接着剤によって接着されたクッション材３と、クッション材３を覆う表皮材４とから成っている。表皮材４の終縁部４ａはインナーシェル２の終縁部の下面に接着されている。従って、この座体１をそのまま椅子に組み込むことができる。
【００１３】
インナーシェル２は、例えばポリエステル等の合成樹脂から成っている（金属板や木製板でも良い）。クッション材３は、同じくポリエステル繊維等、熱可塑性樹脂を押し出し加工してランダムに曲がりくねらせた連続線状材（線状素材）から成っており、多数のループ状の線状材を絡ませ、これら線状素材をその接触箇所において融着することにより、立体網状構造（綿状構造）のクッション材３と成している。言うまでもないが、人の体重によって弾性変形するように、線状素材の太さと立体網状構造体の気孔率とを設定している。線状素材の太さは３００デニール以上で１０万デニール以下であり、好ましくは５００デニール〜５万デニールである。
【００１４】
表皮材４は例えばポリエステル繊維等の合成樹脂繊維製の織物等からなり、着座する人の肌触りを良くする機能を果たすものである。
次に、座体１の製造工程を説明する。
【００１５】
クッション材３はその原材料として提供される形状寸法は、幅寸法１ｍ、長さ２ｍ、厚さ略３cm〜７cm程度の平面視矩形状の定型のボード状であるため（参照する図１（ａ）は側断面である）、まず大まかに、インナーシェル２の平面視形状に切断した後、その断面台形となるように切断して整える（図１（ｂ）参照）。その場合、クッション３の表裏両広幅面のうち一方の広幅面３ａが広く、他方の広幅面３ｂが狭くなるように側断面略台形状に切断する。そして、前記面積の広い側の広幅面３ａに表皮材４を接着剤によって接着する。このとき、この表皮材４の周囲縁部４ａをクッション材３からはみ出させる（図１（ｂ）参照）。このはみだし量は、後述するように、クッション材３の周囲を弾性変形させてのち、インナーシェル２の裏面側に回り込み、且つその裏面部分で接着可能な程度とする。
【００１６】
一方、前記クッション材３における面積の狭い側の広幅面３ｂを板状支持体としてのインナーシェル２の広幅表面に当接もしくは接着する（図１（ｃ）参照）。接着する場合には、図１（ｂ）に示すように、予め、インナーシェル２の表面の適宜複数箇所に接着剤５を塗布しておくことが好ましいが、クッション材３の片方の広幅面３ｂの適宜複数箇所に接着剤（図示せず）を塗布しておいても良い。
【００１７】
次いで、前記クッション材３の周囲切断面（表皮材４に近づくにつれて薄くなるように断面楔状となっている箇所）を前記面積の広い側の広幅面３ａの周縁部で覆って前記インナーシェル２の周囲縁部２ａに接近させるように曲げ変形させ、且つ前記表皮材４の周囲縁部４ａをインナーシェル２の裏面側に接着剤６等にて固定するのである（図１（ｄ）参照）。
【００１８】
前記クッション材３の切断面３ｃには、線状材の切断端面が針状に横向きに突出していることになるが、前記のように巻き込むように変形させると、前記針状の先端部分も下向きに湾曲し、その部分を前記表皮材４に接着されているクッション材３の広幅面３ａで包むように、周囲縁部４ａをインナーシェル２の裏面側に巻き込めば、前記針状の先端部分が表皮材４を突き破ることがなく、チクチクしないから、着座者の座り時の感触（座体１の表面の感触）が向上する。
【００１９】
なお、前記表皮材４と共にクッション材３の周囲部をインナーシェル２の周囲縁部２ａに接近させるように曲げ変形させる工程で、金型（雌型）を利用し、該金型における上向き開口の成形用凹所内に、表皮材４を凹所の底面側に当接させ、クッション材３の狭い側の広幅面３ｂを上に向けて押し込み、その上からインナーシェル２を押し当てるようにして前記クッション材３の周囲部をその切断面３ｃが内向きになるようにインナーシェル２の周囲縁部２ａに巻き込むようにすることが好ましい。その際、加熱空気もしくは蒸気を表皮材４からクッション材３方向に吹き込み、熱可塑性樹脂製のクッション材３の変形を助長することが好ましい。このように熱を付加して変形させる場合には、接着剤５，６はホットメルト接着剤を予め塗布しておくか、或いは、ホットメルト接着剤シートを介挿することが好ましい。ホットメルト接着剤は加熱により一旦粘液化した後冷却すると硬化して接着力が付与される。
【００２０】
図２〜図６は、本発明を適用できる座体１のより具体的な形態を示している。図２はインナーシェル２の平面図、図３はインナーシェル２の底面図、図４はインナーシェル２の右側面図、図５は図２のＶ−Ｖ線矢視で示す座体１の断面図、図６は座体１を取り付けた椅子の断面図である。図６において、符号１０は脚柱、符号１１は座受け体、符号１２は金属製の座受けベース体、符号１３は合成樹脂製の中間支持体である。
【００２１】
この例において、インナーシェル２に肋骨状に多数のスリット１４を形成することにより、インナーシェル２が着座圧に応じて下向きに撓み変形（弾性変形）するように構成している。インナーシェル２の裏面には、補強のためのリブ１５を形成している。また、インナーシェル２の前部下面にも、左右方向に延びる補強用のリブ１６が形成されている。インナーシェル２の裏面の左右両側に下向きに突出形成された複数箇所の係合爪１７は、中間支持体１３における係合孔１８に嵌合するように構成されている。
【００２２】
図７（ａ）及び図７（ｂ）は本発明の製造方法の他の実施形態であり、この実施形態では、互いに絡み合った多数の樹脂製ループ状線状材を互いの接触箇所において固着して成る立体網状構造のクッション材３の片方の広幅面に、表皮材４を接着剤（上記ホットメルト接着剤等）によって接着させ、該表皮材４の縁部４ａをクッション材３の外周縁からはみ出させた状態で、該クッション材３の他方の広幅面をインナーシェル２等の板状支持体２２の広幅表面に接着しておく（図７（ａ）参照）。
【００２３】
次いで、クッション材３の周囲の切断面３ｃを前記表皮材４が接着された側に近い広幅面の周縁部４ａで覆って前記板状支持体２２の周囲縁部２２ａに接近させるように断面丸棒状等の治具２３にて変形させながら前記表皮材４の縁部４ａを板状支持体２２の裏面側に巻き込み（図７（ｂ）参照）、次いで、この縁部４ａを板状支持体２２の裏面側に対して接着剤等にて固定するのである。なお、固定方法は、板状支持体２２が木材である場合には、Ｕ字状のホッチキス針や釘等にて打ち込み固定する等のクランプを実行しても良い。
【００２４】
図８は、図７の実施形態の変形例であり、治具２３を使用せず、いきなりクッション材３の周囲切断面３ｃを内向きに湾曲させながら前記表皮材４の縁部４ａを板状支持体２２の裏面側に巻き込み、この縁部４ａを板状支持体２２の裏面側に対して接着剤等にて固定するのである。本発明は、椅子の背もたれ体に適用しても良いことはもちろんであり、ソファーやベッド等の身体支持装置に広く適用できる。
【００２５】
【発明の効果】
以上に説明したように、請求項１に記載の発明の椅子用座体のような身体支持部材の製造方法は、互いに絡み合った多数の樹脂製ループ状線状材を互いの接触箇所において固着して成る立体網状構造のクッション材を、その表裏両広幅面のうち一方の広幅面が広く、他方の広幅面が狭くなるように側断面略台形状に切断し、前記面積の広い側の広幅面に接着剤によって接着された表皮材の縁部をクッション材からはみ出させる一方、前記面積の狭い側の広幅面を板状支持体の広幅表面に当接もしくは接着し、前記クッション材の周囲切断面を前記面積の広い側の広幅面の周縁部で覆って前記板状支持体の周囲縁部に接近させるように変形させ、且つ前記表皮材の縁部を板状支持体の裏面側に固定することを特徴とするものである。
【００２６】
従って、前記クッション材の切断面には、線状材の切断端面が針状に横向きに突出していることになるが、前記のように巻き込むように変形させるとき、表皮材が接着されている側のクッション材の断面楔状の箇所は湾曲変形させるための抵抗力が少なく、至極湾曲変形させ易い。そして、クッション材の切断面における前記針状の先端部分も下向きに湾曲し易くなると共に、その部分を前記表皮材４に接着されているクッション材の広幅面で包むように、表皮材の周囲縁部を板状支持体の裏面側に巻き込めば、前記針状の先端部分が表皮材を突き破ることがなく、チクチクしないから、着座者の座り時の感触（座体等の表面の感触）が向上するのである。
【００２７】
他方、請求項２に記載の発明の椅子用座体のような身体支持部材の製造方法は、互いに絡み合った多数の樹脂製ループ状線状材を互いの接触箇所において固着して成る立体網状構造のクッション材の片方の広幅面に、表皮材を接着剤によって接着させ、該表皮材の縁部をクッション材からはみ出させ、該クッション材の他方の広幅面を板状支持体の広幅表面に接着し、クッション材の周囲切断面を前記表皮材が接着された側の広幅面の周縁部で覆って前記板状支持体の周囲縁部に接近させるように変形させながら前記表皮材の縁部を板状支持体の裏面側に巻き込み固定することを特徴とするものである。
【００２８】
このような製法によれば、前記クッション材の切断面には、線状材の切断端面が針状に横向きに突出していることになるが、前記のように巻き込むように変形させると、前記針状の先端部分も下向きに湾曲し、その部分を前記表皮材に接着されているクッション材の広幅面で包むように、周囲縁部を板状支持体の裏面側に巻き込めば、前記針状の先端部分が表皮材を突き破ることがなく、チクチクしないから、着座者の座り時の感触（座体の表面の感触）が向上する。
【００２９】
そして、請求項３に記載の発明の椅子用座体のような身体支持部材は、請求項１または請求項２により製造された身体支持部材であって、前記クッション材は、ポリエステル繊維からなる樹脂製ループ状線状材を互いの接触箇所において固着して成る立体網状構造体としたものであるから、素材（合成樹脂）中に窒素や塩素の原子を含まず、従って、焼却したときに窒素酸化物やダイオキシンが発生せず、またリサイクルし易いという効果を奏する。
【図面の簡単な説明】
【図１】（ａ）は製造工程の第１段階を示す図、（ｂ）は製造工程の第２段階を示す図
、（ｃ）は製造工程の第３段階を示す図、（ｄ）は製造工程の第４段階を示す図である。
【図２】第１実施形態に係るインナーシェルの平面図である。
【図３】インナーシェルの底面図である。
【図４】インナーシェルの右側面図である。
【図５】図２のＶ−Ｖ線矢視で示す椅子用座体の断面図である。
【図６】椅子用座体の正断面図である。
【図７】（ａ）は第２実施形態に係る製造工程の第１段階を示す断面図、（ｂ）は製造工程の第１段階を示す断面図である。
【図８】第２実施形態の変形例に係る製造工程を示す断面図である。
【符号の説明】
１  身体支持部材の一例としての座体
２  インナーシェル
３  クッション材
４  表皮材
４ａ  縁部
５，６  接着剤
【図１】
0003666564.tif 000002
【図２】
0003666564.tif 000003
【図３】
0003666564.tif 000004
【図４】
0003666564.tif 000005
【図５】
0003666564.tif 000006
【図６】
0003666564.tif 000007
【図７】
0003666564.tif 000008
【図８】
0003666564.tif 000009